(57)【特許請求の範囲】
【請求項１】
顕微鏡観察の画像を携帯端末のカメラで撮像するために顕微鏡に設けられる顕微鏡用携帯端末アダプタにおいて、
顕微鏡の鏡筒に固定される鏡筒アタッチメントと、
顕微鏡観察の画像を通過させる撮像用孔を有し、鏡筒アタッチメントに接続される携帯端末設置用ベースと、
携帯端末が設置され、前記撮像用孔の孔位置に携帯端末のカメラを合わせるために携帯端末の位置調整をするスライドベースと、
位置調整された携帯端末の位置を固定して記憶する携帯端末ホルダーと、
を備えることを特徴とする顕微鏡用携帯端末アダプタ。
【請求項２】
請求項１に記載の顕微鏡用携帯端末アダプタであって、前記携帯端末ホルダーは、携帯端末設置用ベースの長手方向の一端に設けられて縦方向にスライドする第１の携帯端末保持部及び第１の縦位置設定用止めネジと、携帯端末の他端に設けられて縦方向にスライドする第２の携帯端末保持部及び第２の縦位置設定用止めネジと、を備え、携帯端末は第１の携帯端末保持部及び第２の携帯端末保持部に挟まれて位置合わせされ、位置合わせされた携帯端末は、前記第１及び第２の縦位置設定用止めネジが携帯端末設置用ベースの側面に締め込まれることで携帯端末の縦方向の設置位置が固定されて記憶されることを特徴とする顕微鏡用携帯端末アダプタ。
【請求項３】
請求項１又は２に記載の顕微鏡用携帯端末アダプタであって、前記携帯端末ホルダーは、第１の携帯端末保持部に横方向にスライドする第１の携帯端末挟み部及び第１の横位置設定用止めネジと、第２の携帯端末保持部に横方向にスライドする第２の携帯端末挟み部及び第２の横位置設定用止めネジと、を備え、携帯端末は、第１の携帯端末挟み部及び第２の携帯端末挟み部により挟まれて位置合わせされ、位置合わせされた携帯端末は、前記第１横位置設定用止めネジが第１の携帯端末保持部に締め込まれ、第２の横位置設定用止めネジが第２の携帯端末保持部に締め込まれることで携帯端末の横方向の設置位置が固定されて記憶されることを特徴とする顕微鏡用携帯端末アダプタ。
【請求項４】
請求項２又は３に記載の顕微鏡用携帯端末アダプタであって、前記第１の携帯端末保持部又は第２の携帯端末保持部は、スライド式の携帯端末受け部を備え、前記携帯端末受け部は、携帯端末受け部を第１の携帯端末保持部又は第２の携帯端末保持部に固定するストッパーを貫通させる貫通穴を有することを特徴とする顕微鏡用携帯端末アダプタ。
【請求項５】
請求項３に記載の顕微鏡用携帯端末アダプタであって、前記第１の携帯端末挟み部及び第２の携帯端末挟み部は、携帯端末を両側から挟むように設けられた押さえ板をそれぞれ備えることを特徴とする顕微鏡用携帯端末アダプタ。
【請求項６】
請求項１乃至５のいずれか１項に記載の顕微鏡用携帯端末アダプタであって、前記スライドベース及び携帯端末設置用ベースは、いずれか一方に縦方向の長孔が設けられ、その他方に横方向の長孔が設けられ、縦方向の長孔と横方向の長孔とを共に貫通する締結具により挟み込まれて接続されることを特徴とする顕微鏡用携帯端末アダプタ。
【請求項７】
請求項１乃至６のいずれか１項に記載の顕微鏡用携帯端末アダプタであって、前記スライドベースには、携帯端末を設置する滑り止めシートが貼り付けられることを特徴とする顕微鏡用携帯端末アダプタ。
【請求項８】
請求項１乃至７のいずれか１項に記載の顕微鏡用携帯端末アダプタであって、前記携帯端末設置用ベースには、撮像用孔の孔位置に携帯端末のカメラを合わせる際の位置合わせの目安となる目安線が設けられ、前記目安線は、少なくとも撮像用孔の略中心位置を指すように設けられることを特徴とする顕微鏡用携帯端末アダプタ。
【請求項９】
顕微鏡観察の画像を携帯端末のカメラで撮像する携帯端末アダプタを用いた顕微鏡撮像方法において、
携帯端末を携帯端末アダプタに設けられたスライドベースに取り付けるステップと、
スライドベースにより携帯端末の位置合わせを行うステップと、
位置合わせされた携帯端末を携帯端末ホルダーに固定して記憶させるステップと、
顕微鏡で観察された被写体を携帯端末のカメラで撮像するステップと、
を備えることを特徴とする携帯端末アダプタを用いた顕微鏡撮像方法。
【請求項１０】
請求項９に記載の携帯端末アダプタを用いた顕微鏡撮像方法であって、
撮像した携帯端末をスライドベースから取り外すステップと、
前記携帯端末を再度スライドベースに取り付けるステップと、
顕微鏡で観察された被写体を携帯端末のカメラで撮像するステップと、
を備えることを特徴とする携帯端末アダプタを用いた顕微鏡撮像方法。
【請求項１１】
請求項９又は１０に記載の携帯端末アダプタを用いた顕微鏡撮像方法であって、前記スライドベースにより携帯端末の位置合わせを行うステップは、携帯端末を縦方向に携帯端末保持部により挟み込むステップと、携帯端末を横方向に携帯端末挟み部により挟み込むステップと、携帯端末設置用ベースに対してスライドベースを縦方向又は横方向に移動させて位置合わせを行うステップと、を備えることを特徴とする携帯端末アダプタを用いた顕微鏡撮像方法。
【請求項１２】
請求項９乃至１１のいずれか１項に記載の携帯端末アダプタを用いた顕微鏡撮像方法であって、前記位置合わせされた携帯端末を携帯端末ホルダーにより固定して記憶させるステップは、挟み込まれた携帯端末に対して縦位置設定用止めネジを締め込んで携帯端末の縦位置を固定して記憶するステップと、横位置設定用止めネジを締め込んで携帯端末の横位置を固定して記憶するステップとを備えることを特徴とする携帯端末アダプタを用いた顕微鏡撮像方法。
【発明の詳細な説明】
【技術分野】
【０００１】
本発明は、顕微鏡用携帯端末アダプタ、及び携帯端末アダプタを用いた顕微鏡撮像方法に係り、特に、顕微鏡観察の画像を携帯端末のカメラで撮像するために顕微鏡に設けられる顕微鏡用携帯端末アダプタ、及びその携帯端末アダプタを用いて顕微鏡観察の画像を携帯端末のカメラで撮像する顕微鏡撮像方法に関する。
【背景技術】
【０００２】
顕微鏡観察の画像をフィルムカメラ、デジタルカメラ、携帯電話のカメラ機能などにより写真撮影する技術が開発されつつある。そして、フィルムカメラ、デジタルカメラ、携帯電話のカメラ機能により顕微鏡観察の画像を撮像するために顕微鏡に設けられる各種のアダプタやアタッチメントが提案されている。
【０００３】
特許文献１には、顕微鏡写真撮影装置が開示されている。ここでは、携帯用顕微鏡の接眼レンズ部に筒状のアダプタの一端を取付け、このアダプタの他端側を接眼レンズ部に脱着可能な状態でレフカメラに取り付けることが記載されている。
【０００４】
また、特許文献２には、使用しようとする簡易カメラの機種に応じてレンズ窓孔の位置を適宜に変更することで複数の機種に対応でき、カメラの保持をより確実に行うことができる簡易カメラによる顕微鏡写真撮影用カメラ固定装置が開示されている。ここでは、カメラ固定装置はガイド筒とカメラ保持部とによって構成される。カメラ保持部の本体部には、切欠部が設けられる。この切欠部には、角度を変えて取り付けることによってレンズ窓孔の位置を変化させることができる遮光板が着脱自在に取り付けられる。また、レンズ窓孔の下部にガイド筒に外嵌する接続筒が設けられる。更に、カメラ保持部の本体部の三方の側縁部に挟持板を立設し、対向する挟持板の一方の内面に押圧用ばね板が形成される。
【０００５】
さらに、特許文献３には、顕微鏡として使用することができるカメラ付き携帯電話またはデジタルカメラ用アタッチメントが開示されている。ここでは、カメラ付き携帯電話用アタッチメントは、ベースと拡大部とスタンドとから構成される。ベースは、ディスプレイが外部から視認でき、かつカメラレンズが下向きに露出した状態で、カメラ付き携帯電話を着脱自在に固定する。拡大部は、ベースにカメラ付き携帯電話が固定されたときに、ベースから露出しているカメラ付き携帯電話のカメラレンズとその光軸が一致する対物レンズおよび撮像対象物へ所定の照明光を照射する照明を有する。スタンドは、ベースが光軸方向と平行に移動できるようにしてベースを支持する、ことが記載されている。
【０００６】
ここで、携帯端末とは、例えば、スマートフォン、タブレット（或いはタブレット端末）、携帯電話、ＰＨＳ、ＰＤＡなどの携帯型の端末機器のうち、カメラによる撮像機能が搭載された携帯型の端末機器をいう。これらの携帯端末は、インターネット機能を利用して顕微鏡観察結果をデジタルデータとして送信することができる。また、携帯端末にインターネットを介してアプリケーションをダウンロードし、そのアプリケーションを起動させて撮像された画像に対し、例えば、距離や角度を測定したり、画像に着色するなどのデータ処理を行うことができる。
【先行技術文献】
【特許文献】
【０００７】
【特許文献１】公開実用新案昭６３−８６６１４号公報
【特許文献２】実用新案登録第２５９９１３４号公報
【特許文献３】特開２００６−２０８８５７号公報
【発明の概要】
【発明が解決しようとする課題】
【０００８】
携帯端末は、その仕様がメーカーの機種ごとに異なる。例えば、携帯端末の長辺の長さ、短辺の長さ、厚みなどのサイズが機種ごとに異なる。また、顕微鏡観察の画像を携帯端末のカメラで撮像するために顕微鏡に設けられる顕微鏡用携帯端末アダプタにおいては、特に、携帯端末に設けられたカメラの位置が機種により異なる点が最大の問題となる。すなわち、顕微鏡観察の画像を撮像するために携帯端末に設けられたカメラの光軸を顕微鏡の鏡筒の光軸に合わせる際に、直接目視でカメラの位置を確認できないからである。顕微鏡観察の画像を携帯端末のカメラにより高品質に撮像するには、様々な被写体に対してカメラの光軸を顕微鏡の鏡筒の光軸に適確に合わせて撮像しなければならない。従って、様々な携帯端末の仕様に適合して使用できる「汎用性のある」アダプタが求められる。
【０００９】
また、携帯端末は各自が日常的に携帯して使用する通信機器であるため、それを顕微鏡に常設して使用することは現実的ではない。従って、必要に応じて携帯端末を顕微鏡に取付け、使用が終了したら取り外すことを繰り返すという使用方法が想定される。また、携帯端末のインターネット機能を利用して顕微鏡観察結果をデジタルデータとして送信することが好ましいが、この場合にも携帯端末をアダプタから容易に取付け、取り外しできる「着脱自在な」アダプタが求められる。
【００１０】
また、元来携帯端末は顕微鏡観察の画像を付属のカメラで撮像することを想定して設計されていない。従って、携帯端末を顕微鏡に接続するアダプタは、その接続の機構が複雑で高価な機器となるか、或いは接続方法が複雑で面倒な機器となり、ユーザから敬遠されてしまう虞がある。従って、取り付けた携帯端末を使用して簡易に顕微鏡観察の画像を撮像できる「操作性の高い」アダプタが求められる。
【００１１】
本願の目的は、かかる課題を解決し、機種ごとに異なる携帯端末の仕様に適合し、携帯端末を顕微鏡に容易に取付け、取り外しができ、簡易な操作により顕微鏡観察による画像を撮像でき、さらに携帯端末を簡易に位置合わせできる顕微鏡用携帯端末アダプタ、及び携帯端末アダプタを用いた顕微鏡撮像方法を提供することである。
【課題を解決するための手段】
【００１２】
上記目的を達成するため、本発明に係る顕微鏡用携帯端末アダプタは、顕微鏡観察の画像を携帯端末のカメラで撮像するために顕微鏡に設けられる顕微鏡用携帯端末アダプタにおいて、顕微鏡の鏡筒に固定される鏡筒アタッチメントと、顕微鏡観察の画像を通過させる第１の撮像用孔を有して携帯端末が設置される携帯端末設置ベースと、設置された携帯端末を携帯端末設置ベースに保持する携帯端末ホルダーと、を備えることを特徴とする。
【００１３】
上記構成により、本発明に係る顕微鏡用携帯端末アダプタは、顕微鏡と携帯端末とを接続するために、鏡筒アタッチメント、携帯端末設置ベース、及び携帯端末ホルダーという最小限の部品から構成され、簡易な操作により顕微鏡観察による画像を撮像することができる。また、携帯端末は設置された携帯端末ホルダーにより携帯端末設置ベースに保持される。これにより、機種により異なる携帯端末の仕様に幅広く適合させることができる。さらに、後述するように、携帯端末ホルダーを活用することで携帯端末を顕微鏡に常設せずに容易に取付け、取り外しができる。
【００１４】
また、顕微鏡用携帯端末アダプタは、携帯端末ホルダーが、携帯端末の底部を取り外し自在に支持する携帯端末支持部と、位置設定用止めネジとを備え、携帯端末ホルダーに支持されて位置合わせされた携帯端末は、この位置設定用止めネジが携帯端末ホルダーの側面に締め込まれることで携帯端末の設置位置が携帯端末ホルダーに設定されることが好ましい。これにより、携帯端末は、携帯端末ホルダーに支持させて携帯端末ホルダーを携帯端末設置ベースに固定することで、その携帯端末の適切な位置が設定される。そして、携帯端末ホルダーから取り外して再度取り付ける場合には、新たに位置合わせをしなくても携帯端末設置ベースに設置することができる。すなわち、所定の携帯端末については、初回だけ位置合わせを行い、その携帯端末の適切な位置を設定すれば良く、携帯端末を顕微鏡に常設せずに容易に取付け、取り外しができる。
【００１５】
また、顕微鏡用携帯端末アダプタは、携帯端末ホルダーが、携帯端末を着脱自在に収納する携帯端末収納部と、位置設定用固定ネジとを備え、携帯端末ホルダーに収納されて位置合わせされた携帯端末は、この位置設定用固定ネジが携帯端末ホルダーの側面に締め込まれることで携帯端末の設置位置が携帯端末ホルダーに設定されることが好ましい。これにより、携帯端末は、携帯端末ホルダーに収納させて携帯端末ホルダーを携帯端末設置ベースに固定することで、その携帯端末の適切な位置が設定される。そして、携帯端末ホルダーから取り外して再度取り付ける場合には、新たに位置合わせをしなくても携帯端末設置ベースに設置することができる。すなわち、所定の携帯端末については、初回だけ位置合わせをしてその携帯端末の適切な位置を設定すれば良く、携帯端末を顕微鏡に常設せずに容易に取付け、取り外しができる。
【００１６】
また、顕微鏡用携帯端末アダプタは、携帯端末設置ベースには、携帯端末を設置する際の位置合わせの目安となる目安線が設けられ、少なくとも、携帯端末設置ベースに設けられた第１の撮像用孔の略中心の位置を表示することが好ましい。これにより、携帯端末設置ベースに設けられた目安線を頼りにすることで、携帯端末の機種により異なるカメラの位置に対する位置合わせが容易に行える。この目安線により、機種ごとに異なる携帯端末の仕様に適合させることができる。
【００１７】
また、顕微鏡用携帯端末アダプタは、携帯端末と携帯端末設置ベースとの間には第２の撮像用孔を有する滑り止めシートが配置され、この滑り止めシートが、携帯端末設置ベースに設けられた目安線が識別可能な程度の透明性を有することが好ましい。これにより、斜めに傾けられた携帯端末設置ベースに携帯端末を設置した場合であっても、滑り止めシートの粘着力により携帯端末が携帯端末設置ベース上を滑ったりずれたりすることなく固定することができる。
【００１８】
また、顕微鏡用携帯端末アダプタは、鏡筒アタッチメントが、平板部と筒部とからなり、筒部には軸方向にＵ字型のスリットが設けられ、このＵ字型のスリットが鏡筒に設置される接眼レンズ用抑えネジを挟み込むように鏡筒に取り付けられることが好ましい。これにより、鏡筒アタッチメントの平板部の取付け方向を接眼レンズ用抑えネジの位置に合わせて調整することができる。
【００１９】
また、顕微鏡用携帯端末アダプタは、顕微鏡には、試料の前後左右の位置を携帯端末の光軸に略合致させるように位置調整用の手動ステージが設けられることが好ましい。これにより、顕微鏡観察の画像の位置を携帯端末のカメラに合わせて調整することができる。
【００２０】
また、顕微鏡用携帯端末アダプタは、手動ステージが、一方向に摺動するＸ軸ステージ、交差する二方向に摺動するＸＹ軸ステージ、回転方向に摺動する回転ステージ、及びステージが傾斜方向に摺動する傾斜ステージのなかから、単独で又は組み合わされて選択され、交換可能に設置されて位置調整が行われることが好ましい。これにより、顕微鏡観察の画像の位置を携帯端末のカメラに合わせて、短辺方向、長辺方向、回転方向、及び傾斜方向或いはそれらを組み合わせた方向に調整することができる。
【００２１】
上記目的を達成するため、本発明に係る携帯端末アダプタを用いた顕微鏡撮像方法は、携帯端末を携帯端末アダプタに設けられた携帯端末ホルダーに保持させるステップと、携帯端末ホルダーをスライドさせて携帯端末の位置合わせを行うステップと、携帯端末ホルダーを締結具により携帯端末設置ベースに固定させるステップと、顕微鏡で観察された被写体を携帯端末のカメラで撮像するステップと、を備えることを特徴とする。
【００２２】
上記構成により、所定の携帯端末を使用する場合に行う初期設定については、携帯端末を携帯端末ホルダーに保持させて携帯端末設置ベースに設置するという簡易な操作をするだけで良い。また、携帯端末ホルダーをスライドさせて位置合わせを行うことで、機種ごとに異なる携帯端末の仕様に適合させることができる。さらに、携帯端末ホルダーを携帯端末設置ベースに固定させることで後述するように、携帯端末を顕微鏡に容易に取付け、取り外しすることができる。
【００２３】
また、携帯端末アダプタを用いた顕微鏡撮像方法は、撮像した携帯端末を携帯端末ホルダーから取り外すステップと、前記携帯端末を再度携帯端末設置ベースに固定された携帯端末ホルダーに取り付けるステップと、顕微鏡で観察された被写体を携帯端末のカメラで撮像するステップと、を備えることが好ましい。これにより、携帯端末は、一旦携帯端末ホルダーに保持させて携帯端末ホルダーを携帯端末設置ベースに固定することで、その携帯端末の適切な位置が設定される。そして、携帯端末ホルダーから取り外して再度取り付ける場合であっても、新たに位置合わせをせずに携帯端末設置ベースに設置することができる。すなわち、所定の携帯端末については、初回だけ位置合わせをしてその携帯端末の適切な位置を設定すれば良く、携帯端末を顕微鏡に常設せずに簡易に着脱できる。
【００２４】
また、携帯端末アダプタを用いた顕微鏡撮像方法は、携帯端末設置ベースに設けられた目安線に基づき携帯端末設置ベースに対する携帯端末の位置合わせを行うステップを備えることが好ましい。このステップにより、携帯端末設置ベースに設けられた目安線を頼りにすることで、携帯端末の機種により異なるカメラの位置に対し、携帯端末の位置合わせがより容易になる。そして、機種ごとに異なる携帯端末の仕様に適合させることができる。
【００２５】
さらに、携帯端末アダプタを用いた顕微鏡撮像方法は、携帯端末と携帯端末設置ベースとの間に滑り止めシートを配置するステップを備えることが好ましい。このステップにより、斜めに傾けられた携帯端末設置ベースに携帯端末を設置した場合であっても、滑り止めシートの粘着力により携帯端末が携帯端末設置ベース上を滑ったり、ずれたり、傾いたりすることなく固定することができる。
【００２６】
上記目的を達成するため、本発明に係る顕微鏡用携帯端末アダプタは、顕微鏡観察の画像を携帯端末のカメラで撮像するために顕微鏡に設けられる顕微鏡用携帯端末アダプタにおいて、顕微鏡の鏡筒に固定される鏡筒アタッチメントと、顕微鏡観察の画像を通過させる撮像用孔を有し、鏡筒アタッチメントに接続される携帯端末設置用ベースと、携帯端末が設置され、前記撮像用孔の孔位置に携帯端末のカメラを合わせるために携帯端末の位置調整をするスライドベースと、位置調整された携帯端末の位置を固定して記憶する携帯端末ホルダーと、を備えることを特徴とする。
【００２７】
上記構成により、本発明に係る顕微鏡用携帯端末アダプタは、携帯端末と携帯端末設置用ベースとの間にスライドベースが設けられる。そして、携帯端末は、まずスライドベースに設置され、スライドベースを縦方向又は横方向に動かすことで、携帯端末のカメラを撮像用孔の孔位置に合わせて携帯端末の位置調整が行われる。すなわち、スライドベースを設けることで、携帯端末を設置する動作と、携帯端末の位置調整をする動作とを分離でき、携帯端末を簡易に位置合わせできる。また、スライドベースにより位置調整された携帯端末を携帯端末ホルダーにて固定することで、機種ごとに異なる携帯端末の仕様に適合させて固定できる。さらに、位置調整された携帯端末の位置を携帯端末ホルダーにて記憶することで、携帯端末を顕微鏡に容易に取付け、取り外しができ、簡易な操作により顕微鏡観察による画像が撮像できる。
【００２８】
また、顕微鏡用携帯端末アダプタは、前記携帯端末ホルダーが、携帯端末設置用ベースの長手方向の一端に設けられて縦方向にスライドする第１の携帯端末保持部及び第１の縦位置設定用止めネジと、携帯端末の他端に設けられて縦方向にスライドする第２の携帯端末保持部及び第２の縦位置設定用止めネジと、を備え、携帯端末が第１の携帯端末保持部及び第２の携帯端末保持部に挟まれて位置合わせされ、位置合わせされた携帯端末は、前記第１及び第２の縦位置設定用止めネジが携帯端末設置用ベースの側面に締め込まれることで携帯端末の縦方向の設置位置が固定されて記憶されることが好ましい。これにより、携帯端末は、第１の携帯端末保持部及び第２の携帯端末保持部に挟まれて位置合わせでき、機種ごとに異なる携帯端末の仕様に容易に適合させて固定できる。さらに、第１及び第２の縦位置設定用止めネジが携帯端末設置用ベースの側面に締め込まれることで携帯端末の縦方向の設置位置が固定されて記憶でき、携帯端末を顕微鏡に容易に取付け、取り外しができ、簡易な操作により顕微鏡観察による画像を撮像できる。
【００２９】
また、顕微鏡用携帯端末アダプタは、携帯端末ホルダーが第１の携帯端末保持部に横方向にスライドする第１の携帯端末挟み部及び第１の横位置設定用止めネジと、第２の携帯端末保持部に横方向にスライドする第２の携帯端末挟み部及び第２の横位置設定用止めネジと、を備え、携帯端末が、第１の携帯端末挟み部及び第２の携帯端末挟み部により挟まれて位置合わせされ、位置合わせされた携帯端末は、前記第１横位置設定用止めネジが第１の携帯端末保持部に締め込まれ、第２の横位置設定用止めネジが第２の携帯端末保持部に締め込まれることで携帯端末の横方向の設置位置が固定されて記憶されることが好ましい。これにより、携帯端末は、第１の携帯端末挟み部及び第２の携帯端末挟み部に挟まれて位置合わせでき、機種ごとに異なる携帯端末の仕様に容易に適合させて固定できる。さらに、第１及び第２の横位置設定用止めネジが携帯端末保持部に締め込まれることで携帯端末の横方向の設置位置が固定されて記憶でき、携帯端末を顕微鏡に容易に取付け、取り外しができ、簡易な操作により顕微鏡観察による画像を撮像できる。
【００３０】
また、顕微鏡用携帯端末アダプタは、第１の携帯端末保持部又は第２の携帯端末保持部がスライド式の携帯端末受け部を備え、前記携帯端末受け部が携帯端末受け部を第１の携帯端末保持部又は第２の携帯端末保持部に固定するストッパーを貫通させる貫通穴を有することが好ましい。この携帯端末受け部及びストッパーにより、携帯端末の縦方向の挟み込みがより容易にかつ確実に行われる。
【００３１】
また、顕微鏡用携帯端末アダプタは、第１の携帯端末挟み部及び第２の携帯端末挟み部が携帯端末を両側から挟むように設けられた押さえ板をそれぞれ備えることが好ましい。この押さえ板により、携帯端末の横方向の挟み込みがより容易にかつ確実に行われる。
【００３２】
また、顕微鏡用携帯端末アダプタは、スライドベース及び携帯端末設置用ベースがいずれか一方に縦方向の長孔が設けられ、その他方に横方向の長孔が設けられ、縦方向の長孔と横方向の長孔とを共に貫通する締結具により挟み込まれて接続されることが好ましい。これにより、撮像用孔の孔位置に携帯端末のカメラを合わせるための位置調整がスライドベースにより縦方向及び横方向に容易にできる。
【００３３】
また、顕微鏡用携帯端末アダプタは、スライドベースには携帯端末を設置する滑り止めシートが貼り付けられることが好ましい。これにより、携帯端末を容易にスライドベースに設置できる。また、携帯端末を顕微鏡に容易に取付けて、取り外すことができる。
【００３４】
また、顕微鏡用携帯端末アダプタは、携帯端末設置用ベースには撮像用孔の孔位置に携帯端末のカメラを合わせる際の位置合わせの目安となる目安線が設けられ、前記目安線が少なくとも撮像用孔の略中心位置を指すように設けられることが好ましい。これにより、撮像用孔の孔位置に携帯端末のカメラを合わせるための位置調整が容易にかつ確実にできる。
【００３５】
上記目的を達成するため、本発明に係る携帯端末アダプタを用いた顕微鏡撮像方法は、顕微鏡観察の画像を携帯端末のカメラで撮像する携帯端末アダプタを用いた顕微鏡撮像方法において、携帯端末を携帯端末アダプタに設けられたスライドベースに取り付けるステップと、スライドベースにより携帯端末の位置合わせを行うステップと、位置合わせされた携帯端末を携帯端末ホルダーに固定して記憶させるステップと、顕微鏡で観察された被写体を携帯端末のカメラで撮像するステップと、を備えることを特徴とする。
【００３６】
上記構成により、本発明に係る携帯端末アダプタを用いた顕微鏡撮像方法は、まず、携帯端末を携帯端末アダプタに設けられたスライドベースに取り付ける。そして、スライドベースにより携帯端末の位置合わせを行う。すなわち、スライドベースが設けられることで、携帯端末を設置するステップと、携帯端末の位置調整をするステップとが分離でき、携帯端末を簡易に位置合わせできる。また、携帯端末ホルダーにより位置調整された携帯端末の位置が固定されることで、機種ごとに異なる携帯端末の仕様に適合させて固定できる。さらに、位置調整された携帯端末の位置が記憶されることで、携帯端末を顕微鏡に容易に取付け、取り外しができ、簡易な操作により顕微鏡観察による画像が撮像される。
【００３７】
また、携帯端末アダプタを用いた顕微鏡撮像方法は、撮像した携帯端末をスライドベースから取り外すステップと、前記携帯端末を再度スライドベースに取り付けるステップと、顕微鏡で観察された被写体を携帯端末のカメラで撮像するステップと、を備えることを特徴とすることが好ましい。これにより、携帯端末は、一旦スライドベースに設置して固定することで、その携帯端末の適切な位置が設定される。そして、携帯端末ホルダーから取り外して再度取り付ける場合であっても、新たに位置合わせをせずに携帯端末設置ベースに設置することができる。すなわち、所定の携帯端末については、初回だけ位置合わせをしてその携帯端末の適切な位置を設定すれば良く、携帯端末を顕微鏡に常設せずに簡易に着脱できる。
【００３８】
また、携帯端末アダプタを用いた顕微鏡撮像方法は、スライドベースにより携帯端末の位置合わせを行うステップが携帯端末を縦方向に携帯端末保持部により挟み込むステップと、携帯端末を横方向に携帯端末挟み部により挟み込むステップと、携帯端末設置用ベースに対してスライドベースを縦方向又は横方向に移動させて位置合わせを行うステップと、を備えることが好ましい。これにより、携帯端末保持部を携帯端末設置ベースに固定することで縦方向が、さらに携帯端末挟み部を携帯端末保持部に固定することで横方向が、容易にかつ確実に位置合わせできる。
【００３９】
また、携帯端末アダプタを用いた顕微鏡撮像方法は、位置合わせされた携帯端末を携帯端末ホルダーにより固定して記憶させるステップと、挟み込まれた携帯端末に対して縦位置設定用止めネジを締め込んで携帯端末の縦位置を固定して記憶するステップと、横位置設定用止めネジを締め込んで携帯端末の横位置を固定して記憶するステップとを備えることが好ましい。これにより、携帯端末保持部を縦位置設定用止めネジにより携帯端末設置ベースに固定することで縦方向が、さらに携帯端末挟み部を横位置設定用止めネジ携帯端末保持部に固定することで横方向が容易にかつ確実に固定され記憶される。
【発明の効果】
【００４０】
以上のように、本発明に係る顕微鏡用携帯端末アダプタ、及び携帯端末アダプタを用いた顕微鏡撮像方法によれば、機種ごとに異なる携帯端末の仕様に適合し、携帯端末を顕微鏡に容易に取付け、取り外しができ、簡易な操作により顕微鏡観察による画像を撮像でき、さらに携帯端末を簡易に位置合わせできる顕微鏡用携帯端末アダプタ、及び携帯端末アダプタを用いた顕微鏡撮像方法を提供することができる。
【図面の簡単な説明】
【００４１】
【図１】顕微鏡に取り付けられた本発明に係る顕微鏡用携帯端末アダプタの１つの実施形態の概略構成を示す斜視図である。
【図２】図１の顕微鏡用携帯端末アダプタを裏面から示す分解した斜視図である。
【図３】顕微鏡用携帯端末アダプタを構成する、鏡筒アタッチメント、滑り止めシート、及び携帯端末ホルダーを示す分解した斜視図である。
【図４】携帯端末設置ベースに取り付けられる、滑り止めシート及び携帯端末ホルダーを示す分解した斜視図である。
【図５】携帯端末ホルダーの第１の実施形態及び第２の実施形態を示す立面図である。
【図６】図５の携帯端末ホルダーの第１の実施形態のＡ−Ａ断面図である。
【図７】図５の携帯端末ホルダーの第１の実施形態のＢ−Ｂ断面図である。
【図８】図６の携帯端末ホルダーのＣ−Ｃ断面図である。
【図９】図５の携帯端末ホルダーの第２の実施形態のＤ−Ｄ断面図である。
【図１０】図５の携帯端末ホルダーの第２の実施形態のＥ−Ｅ断面図である。
【図１１】図９の携帯端末ホルダーのＦ−Ｆ断面図である。
【図１２】位置調整用の手動ステージの一つの実施例であるＸ軸ステージの平面図及び側面図である。
【図１３】位置調整用の手動ステージの一つの実施例であるＸＹ軸ステージの平面図及び側面図である。
【図１４】位置調整用の手動ステージの一つの実施例である回転ステージの平面図及び側面図である。
【図１５】位置調整用の手動ステージの一つの実施例である傾斜ステージの斜視図、平面図及び側面図である。
【図１６】携帯端末アダプタを用いた顕微鏡撮像方法の一つの実施形態のフロー図である。
【図１７】顕微鏡に取り付けられた本発明に係る顕微鏡用携帯端末アダプタの第３の実施形態であって携帯端末及び顕微鏡との関係を示す斜視図である。
【図１８】図１７に示す第３の実施形態の概略構成を示す斜視図である。
【図１９】図１７に示す第３の実施形態の概略構成を示す平面図である。
【図２０】図１７に示す第３の実施形態の概略構成を示す背面図である。
【図２１】図１７に示す第３の実施形態のスライドベースの概略構成を示す斜視図である。
【図２２】携帯端末アダプタを用いた顕微鏡撮像方法の第３の実施形態のフロー図である。
【発明を実施するための形態】
【００４２】
（顕微鏡用携帯端末アダプタの構成）
以下に、図面を用いて本発明に係る顕微鏡用携帯端末アダプタ１の一つの実施形態につき、詳細に説明する。図１に、顕微鏡２０に取り付けられた顕微鏡用携帯端末アダプタ１の１つの実施形態の概略構成を斜視図で示す。また、図２に、図１の顕微鏡用携帯端末アダプタ１を裏面からみた分解した斜視図で示す。また、図３に、顕微鏡用携帯端末アダプタ１を構成する鏡筒アタッチメント２、携帯端末設置ベース３、滑り止めシート９、及び携帯端末ホルダー４ａを分解した斜視図で示す。さらに、図４に、携帯端末設置ベース３に取り付けられる、滑り止めシート９、及び携帯端末ホルダー４ａを分解した斜視図で示す。
【００４３】
本実施形態で対象となる顕微鏡２０は、一般的に使用される公知の顕微鏡であり、図１に示すように、脚台２３に配置された被観察物である試料２４を対物レンズ２８により観察する。観察者は、スタンド２２に対する対物レンズ２８の高さ方向の位置を調整し、固定ネジ用ハンドル３４を締め付け、対物レンズ２８の高さ方向の位置を固定する。さらに、観察者は、接眼レンズ２９を覗き、微調整摺動ハンドル３５を回転させて対物レンズ２８の高さ方向の位置を微調整し、試料２４に焦点を合わせる。対物レンズ２８の光軸２５は、顕微鏡２０内部でプリズムにより屈折され、対物レンズ２８の上部に設けられた鏡筒２１の接眼レンズ２９の光軸２６となる。このように観察者は、屈折された鏡筒２１の光軸２６に従ってこの鏡筒２１の接眼レンズ２９を覗き込んで試料２４を観察する。
【００４４】
顕微鏡２０の鏡筒２１は、観察者が接眼レンズ２９により見易い角度、すなわち、水平面から略４５°傾いているのが一般的である。つまり、顕微鏡２０の光軸（対物レンズの光軸）２５と、鏡筒２１の光軸（接眼レンズの光軸）２６との角度（以後、鏡筒角度（α）という。図２参照）は略１３５°である。しかし、顕微鏡２０には、鏡筒角度（α）が略９０°である顕微鏡、すなわち、鏡筒２１が略水平方向のもの、鏡筒角度（α）が略１８０°である顕微鏡、すなわち、鏡筒２１が略鉛直方向のものもあり、観察の目的により使い分けられている。
【００４５】
図１に示すように、顕微鏡用携帯端末アダプタ１は、顕微鏡観察の画像を携帯端末１０に設けられたカメラ１８で撮像するために顕微鏡２０に設置されるアダプタであり、基本的に鏡筒アタッチメント２、携帯端末設置ベース３、及び携帯端末ホルダー４から構成される。そして、顕微鏡２０の鏡筒２１に鏡筒アタッチメント２が取り付けられる。そして、鏡筒アタッチメント２に携帯端末設置ベース３が取り付けられる。さらに、携帯端末設置ベース３に携帯端末１０が設置される。上述したように、鏡筒角度（α）は一般的には１３５°であり、携帯端末１０は水平面に対して略４５°に傾けられる。しかし、鏡筒角度（α）が略９０°の顕微鏡２０の場合には携帯端末１０は略垂直に設置される。また、鏡筒角度（α）が略１８０°の顕微鏡２０の場合には携帯端末１０は略水平に設置される。
【００４６】
図２及び図３に示すように、鏡筒アタッチメント２は顕微鏡２０の鏡筒２１に固定される。この鏡筒アタッチメント２は平板部１４及び筒部１５から構成される。筒部１５は、鏡筒２１を包み込む程度の内径を有する筒であり、顕微鏡２０の鏡筒２１に嵌め込まれる。また、筒部１５は、その周囲に設けられた４箇所の固定ネジ（図示せず）が締め込まれて平板部１４に固定される。そして、鏡筒アタッチメント２は、アタッチメント固定ネジ１３により鏡筒２１に固定される。また、鏡筒２１には接眼レンズ用抑えネジ１９が設けられているが、この接眼レンズ用抑えネジ１９は鏡筒アタッチメント２に設けられたスリット３６に嵌め込まれる。この接眼レンズ用抑えネジ１９がスリット３６に嵌め込まれることで、平板部１４が適正な方向を向いて精度よく固定される。なぜならば、接眼レンズ用抑えネジ１９の鏡筒２１に対する位置が決まっているため、鏡筒アタッチメント２も鏡筒２１に対する位置が固定されるからである。さらに、平板部１４にはベース固定ネジ孔１２ｂが設けられ、携帯端末設置ベース３の裏面には対向する位置にベース固定ネジ孔１２ａが設けられる。そして、両者はそれぞれベース固定ネジ１１により締結され、相互に固定される。このように、携帯端末１０の光軸２７と鏡筒２１の光軸２６とが略合致するように鏡筒２１が鏡筒アタッチメント２及び携帯端末設置ベース３に接続される。
【００４７】
顕微鏡２０の鏡筒２１は、顕微鏡メーカーによりサイズや形状が異なる。従って、各社の顕微鏡２０の仕様に合わせた鏡筒アタッチメント２を揃えることで幅広い種類の顕微鏡２０に対応できる顕微鏡用携帯端末アダプタ１を提供することが可能になる。
【００４８】
図３に示すように、携帯端末設置ベース３は、顕微鏡観察の画像を通過させる第１撮像用孔１６を有する。そして、図４に示すように、携帯端末設置ベース３には携帯端末１０が設置される。ここで、携帯端末設置ベース３には、第２撮像用孔１７を有する滑り止めシート９を介して携帯端末１０が設置されても良い。図４に示すように、携帯端末１０の光軸２７は、第１撮像用孔１６及び第２撮像用孔１７のそれぞれの略中心点を通過するように携帯端末１０に対して携帯端末設置ベース３及び滑り止めシート９が設置される。
【００４９】
携帯端末１０は、各種の製品が普及しており、その縦横のサイズも多様である。従って、携帯端末設置ベース３は、携帯端末１０に合わせて縦長の形状であり、その縦横のサイズは、より多くの携帯端末１０が設置可能なサイズに設定される。また、本実施形態では、携帯端末設置ベース３は所定の厚みを有する平板状の形状であり、図３、図４に示すように、その周囲に外端面３７を有する。本実施形態では、携帯端末設置ベース３は樹脂製であり着色されたものを使用するが、それに限らず、透明、或いは半透明な素材を用いて製造されても良い。
【００５０】
（携帯端末ホルダーの構成）
図５に、携帯端末ホルダー４を立面図で示す。図５（ａ）は、第１実施形態の携帯端末ホルダー４ａであり、図５（ｂ）は、第２実施形態の携帯端末ホルダー４ｂである。なお、図１〜図４に示す携帯端末ホルダー４は第１実施形態を示すが、第２実施形態に置き換えても良い。携帯端末ホルダー４は、設置させた携帯端末１０を携帯端末設置ベース３に保持する役割を担う部品である。従って、設置された携帯端末１０を携帯端末設置ベース３に保持するものであれば、第１実施形態や第２実施形態には限らない。ここで、「設置させた携帯端末１０を携帯端末設置ベース３に保持する」とは、携帯端末１０の下端部を支持するか保持するかのいずれかにより、位置合わせされた携帯端末１０をその位置で固定することをいう。また、「携帯端末１０の位置合わせ」とは、携帯端末１０の裏面に設けられたカメラ１８の光軸２７を鏡筒２１の光軸２６に略一致させるように携帯端末設置ベース３に対する携帯端末１０の位置を調整することをいう。
【００５１】
図６に、第１実施形態である図５の携帯端末ホルダー４ａのＡ−Ａ断面図を示し、図７にＢ−Ｂ断面図を示し、図８に図６のＣ−Ｃ断面図を示す。また、この携帯端末ホルダー４ａの全体像を図３に斜視図で表わす。第１実施形態である携帯端末ホルダー４ａは、図７に示す、携帯端末１０の底部を取り外し自在に支持する携帯端末保持部５ａ、図６に示す、両端の携帯端末保持部５ａを連結する連結部８ａ、及び図８に示す位置設定用止めネジ６ａを備える。また、図５（ａ）に示すように、携帯端末ホルダー４ａは、携帯端末１０の底部が携帯端末保持部５ａを両端部に腰掛ける。つまり、携帯端末ホルダー４ａは、図３，図６に示すように、携帯端末設置ベース３を両端の携帯端末保持部５ａで挟み込み、携帯端末１０のストッパーとして機能する。そして、携帯端末ホルダー４ａに支持されて位置合わせされた携帯端末１０は、位置設定用止めネジ６ａが携帯端末ホルダー４ａの外端面３７に締め込まれる。これにより、携帯端末１０の設置位置が携帯端末ホルダー４ａに設定される。すなわち、位置設定用止めネジ６ａを再度緩めて携帯端末ホルダー４ａを動かさない限り、その携帯端末１０を一旦取り外した後、携帯端末設置ベース３に再度設置する場合に、新たに位置合わせをしなくてもカメラ１８の光軸２７の位置が第１撮像用孔、及び第２撮像用孔１７の中心に略一致するように設置される。
【００５２】
上述した携帯端末ホルダー４ａは、携帯端末保持部５ａが携帯端末設置ベース３の裏側に取り付けられ、携帯端末保持部５ａは携帯端末設置ベース３の表側で連結されても良い。その場合には、携帯端末１０の底部は連結部８ａに腰掛けることになり、携帯端末１０は連結部８ａにより取り外し自在に支持される。そして、携帯端末保持部５ａは、携帯端末１０と携帯端末設置ベース３とを挟み込んで保持する。
【００５３】
図９に、第２実施形態である図５の携帯端末ホルダー４ｂのＤ−Ｄ断面図を示し、図１０にＥ−Ｅ断面図を示し、図１１に図９のＦ−Ｆ断面図を示す。第２実施形態である携帯端末ホルダー４ｂは、図１０に示すように携帯端末１０を両端部で着脱自在に保持する携帯端末保持部５ｂと、図９に示す携帯端末１０を収納する収納部８ｂと、図１１に示す位置設定用固定ネジ６ｂとを備える。また、図９に示すように、携帯端末ホルダー４ｂは、携帯端末保持部５ｂが携帯端末１０を携帯端末設置ベース３とともに挟み込んで保持する。つまり、携帯端末ホルダー４ｂは、図９，図１０に示すように、携帯端末１０を収納して携帯端末設置ベース３と共に挟み込むストッパーとして機能する。そして、携帯端末ホルダー４ｂに収納されて位置合わせされた携帯端末１０は、携帯端末保持部５ｂにおいて位置設定用固定ネジ６ｂが携帯端末ホルダー４ｂの外端面３７に締め込まれる。これにより、携帯端末１０の設置位置が携帯端末ホルダー４ｂに設定される。すなわち、位置設定用固定ネジ６ｂを再度緩めて携帯端末ホルダー４ｂを動かさない限り、その携帯端末１０を一旦取り外した後、携帯端末設置ベース３に再度設置する場合に、新たに位置合わせをしなくてもカメラ１８の光軸２７の位置が第１撮像用孔、及び第２撮像用孔１７の中心に略一致するように設置される。
【００５４】
図６に示す第１実施形態の携帯端末ホルダー４ａでは、位置設定用締結具６として位置設定用止めネジ６ａが用いられ、図９に示す第２実施形態の携帯端末ホルダー４ｂでは、位置設定用締結具６として位置設定用固定ネジ６ｂが用いられているが、逆の組み合わせであっても良い。すなわち、携帯端末ホルダー４ａの位置設定用締結具６として位置設定用固定ネジ６ｂが用いられても良い。同様に、携帯端末ホルダー４ｂの位置設定用締結具６として位置設定用止めネジ６ａが用いられても良い。位置設定用止めネジ６ａは、ネジの頭部がなくネジがネジ孔内部に収まるため簡潔なディテールとなるが、ネジの締結に冶具が必要となる。一方、位置設定用固定ネジ６ｂは、ネジの頭部があるため簡潔なディテールに欠けるが、冶具が無くてもネジの締結ができる。
【００５５】
（目安線）
図３及び図４に示すように、携帯端末設置ベース３には、携帯端末１０を設置する際の位置合わせの目安となる目安線７が設けられる。この目安線７は、短辺方向目安線７ａ及び長辺方向目安線７ｂから構成される。そして、短辺方向目安線７ａ及び長辺方向目安線７ｂは、樹脂製からなる携帯端末設置ベース３の表面に二重線でプリントされる。目安線７は、携帯端末設置ベース３の第１撮像用孔１６の略中心の位置を縦横に表示する線により携帯端末１０の位置合わせが容易になる。特に、短辺方向目安線７ａは、携帯端末１０の長辺方向の位置合わせに有効となる。本実施形態で図１及び図４に示す目安線７のパターンは一つの実施例であり、携帯端末１０の位置合わせに有効な目安線７のパターンであれば、他のパターンであっても良い。
【００５６】
（滑り止めシート）
図３に示すように、本実施形態では、携帯端末１０と携帯端末設置ベース３との間には第２撮像用孔１７を有する滑り止めシート９が配置される。上述したように、鏡筒角度（α）は、一般的には１３５°であるが、鏡筒角度（α）が略９０°の場合には携帯端末１０は略垂直に設置され、鏡筒角度（α）が略１８０°の場合には携帯端末は略水平に設置される。この鏡筒角度（α）が略９０°の場合には携帯端末設置ベース３に設置される携帯端末１０は滑り落ちてしまい固定できない。その場合には、携帯端末１０と携帯端末設置ベース３との間に配置された粘着力を有する滑り止めシート９により携帯端末１０は滑り落ちずに固定される。また、一般的な鏡筒角度（α）が１３５°の場合でも、滑り止めシート９により携帯端末１０がずれたり傾いたりするのを防止できる。
【００５７】
本実施形態では、滑り止めシート９は携帯端末設置ベース３に設けられた目安線７ａ，７ｂが識別可能な程度の透明性を有することが好ましい。すなわち、透明な素材を用いるか、又は、半透明な素材が用いられるのが好ましい。それにより、滑り止めシート９が設けられたとしても目安線７ａ，７ｂに従って携帯端末１０の位置出しをすることができる。この滑り止めシート９は、例えば、ポリウレタンエラストマー・シート、ポリエステルエラストマー・シート、ポリアミドエラストマー・シート等であるが、斜めに傾けられた携帯端末設置ベース３に携帯端末１０が滑ることなく設置され、携帯端末１０の取付け、取り外しが容易である素材であれば、これらに限らない。また、図４に示すように、本実施形態では、滑り止めシート９は、携帯端末設置ベース３のほぼ全域にわたって設置されるが、携帯端末設置ベース３の一部分にのみ設置されるか、或いは、携帯端末設置ベース３の複数箇所に分散して設置されても良い。
【００５８】
（位置調整用の手動ステージ）
図１２〜図１５に、顕微鏡２０の脚台２３に設置された顕微鏡観察用の試料２４の位置を調整するための位置調整用手動ステージ３０，３１，３２，３３を示す。図１２には、一方向に摺動する手動ステージの実施例であるＸ軸ステージ３０を平面図及び側面図で示す。また、図１３には、二方向に摺動する手動ステージの実施例であるＸＹ軸ステージ３１を平面図及び側面図で示す。また、図１４には、回転方向に摺動する手動ステージの実施例である回転ステージ３２を平面図及び側面図で示す。さらに、図１５には、ステージが傾斜方向に摺動する手動ステージの実施例である傾斜ステージ３３を斜視図、平面図及び側面図で示す。
【００５９】
これらの手動ステージ３０，３１，３２，３３は、顕微鏡２０の脚台２３に設置された顕微鏡観察用の試料２４の下部に設けられる。そして、この手動ステージ３０，３１，３２，３３により、試料２４の前後左右の位置、及び回転位置を携帯端末１０の光軸に略合致させるように位置合わせをすることができる。これにより、顕微鏡観察の画像の位置を携帯端末１０のカメラ１８の光軸２７に合わせて調整できる。
【００６０】
この手動ステージ３０，３１，３２，３３は、一方向に摺動するＸ軸ステージ３０、交差する二方向に摺動するＸＹ軸ステージ３１、回転方向に摺動する回転ステージ３２、ステージが傾斜する傾斜ステージ３３のなかから単独で、又は組み合わされて選択され、交換可能に設置される。例えば、Ｘ軸ステージ３０と傾斜ステージ３３とが組み合わされた手動ステージ３０，３３、或いはＸＹ軸ステージ３１と回転ステージ３２とが組み合わされた手動ステージ３１，３２などである。このように、顕微鏡観察で用いられる試料２４の種類や観察の目的に合わせて組み合された手動ステージ３０，３１，３２，３３が選択され、試料２４の下部に設置されても良い。これにより、顕微鏡観察の画像の位置を携帯端末１０のカメラ１８に合わせて、短辺方向、長辺方向、回転方向、又は傾斜方向或いはそれらを組み合わせた方向に調整することができる。
【００６１】
（携帯端末アダプタを用いた顕微鏡撮像方法）
図１６に、携帯端末アダプタ１を用いた顕微鏡撮像方法の一つの実施形態をフロー図で示す。各ステップはＳ１〜Ｓ１０で示す。本明細書では、顕微鏡観察の画像を携帯端末１０のカメラ１８で撮像する携帯端末アダプタ１を用いた顕微鏡撮像方法として、２種類の方法を示す。第１の方法は、携帯端末１０の取付け位置を初期設定して使用する場合のステップである。また、第２の方法は、取付け位置が既に初期設定された携帯端末１０を使用する場合のステップである。
【００６２】
まず、第１の方法を説明する。携帯端末１０を携帯端末アダプタ１に設けられた携帯端末ホルダー４に保持させる（Ｓ１）。次に、携帯端末ホルダー４をスライドさせて携帯端末１０の位置合わせを行う（Ｓ２）。この場合、目安線７を頼りに携帯端末１０の位置合わせを行っても良い。また、滑り止めシート９が配置されている場合には、位置合わせを行った携帯端末１０を滑り止めシート９の粘着力により確実に固定することができる。次に、携帯端末ホルダー４を締結具６により携帯端末設置ベース３に固定させる（Ｓ３）。そして、顕微鏡２０で観察された被写体を携帯端末１０のカメラ１８で撮像する（Ｓ４）。この携帯端末アダプタ１を用いた顕微鏡撮像方法は、所定の携帯端末１０を用いた顕微鏡撮像方法における初期設定のプロセスである。つまり、その携帯端末１０を初めて使用する場合には、カメラ１８の光軸２７が鏡筒２１の光軸２６に略一致するように携帯端末設置ベース３に対する携帯端末１０の設置位置を設定しなければならないからである。
【００６３】
次に、第２の方法について説明する。一旦初期設定された携帯端末１０を携帯端末設置ベース３から取り外し、再度携帯端末設置ベース３に取り付けて使用する場合には、新たに初期設定をする必要がない。つまり、初期設定の際に携帯端末ホルダー４が位置合わせされて固定されるからである。設定された携帯端末１０によりそのまま撮像を続行するか否かで場合分けされる（Ｓ５）。続行する場合には（ＹＥＳ）被写体を交換して（Ｓ６）、顕微鏡２０で観察された被写体を携帯端末１０のカメラ１８で撮像するステップ（Ｓ４）に戻る。なお、被写体を交換せずに別のテーマで撮像を続行する場合も同様にステップ（Ｓ４）に戻っても良い。一方、続行しない場合には（ＮＯ）、撮像した携帯端末１０を携帯端末設置ベース３から取り外すか否かで場合分けされる（Ｓ７）。取り外さない場合には（ＮＯ）、新たな撮像をするか否かで場合分けされる（Ｓ９）。例えば、携帯端末１０を携帯端末設置ベース３に設置したまま携帯端末１０のアプリケーション機能により画像をデータ処理する場合などである。携帯端末１０を取り外す場合には、携帯端末１０を通常の方法で使用する（Ｓ８）。すなわち、携帯端末１０を手に持って通話や電子メールの送受信装置として使用するか、又は携帯端末のアプリケーション機能により画像をデータ処理する。このデータ処理は、例えばスマートフォン等のアプリケーションを用いて長さや角度を測定したり、画像に色彩を付加したり、或いは、スマートフォン等の通信機能を活用して遠隔地に送信する処理などである。このように、携帯端末１０を本来の機能である携帯端末１０として使用したり、画像をデータ処理したりする場合には、撮像した携帯端末１０を携帯端末設置ベース３から取り外して行うか、又は取り付けたまま行うかのいずれであっても良い。
【００６４】
そして、撮像した携帯端末１０を用いて新たな撮像をするか否かが判断される（Ｓ９）。新たな撮像をしない場合には（ＮＯ）、携帯端末アダプタを用いた顕微鏡撮像方法はそこで終了する。一方、新たな撮像をする場合には、携帯端末１０を再度携帯端末設置ベース３に取り付ける（Ｓ１０）。そして、顕微鏡２０で観察された被写体を携帯端末１０のカメラ１８で撮像するステップ（Ｓ４）に戻る。この第２の方法の場合には、ステップ４で携帯端末ホルダー４を締結具６により携帯端末設置ベース３に固定させているため新たに初期設定をする必要はない。これにより、同じ携帯端末１０を複数回使用する場合には、一旦初期設定をすれば、その後は設定をすることなく簡易な操作により顕微鏡観察による画像を撮像できる。しかし、異なる携帯端末１０を使用する場合には、第１の方法により初期設定をする。
【００６５】
上述した携帯端末アダプタ１を用いた顕微鏡撮像方法は、携帯端末設置ベース３に設けられた目安線７ａ，７ｂに基づき携帯端末設置ベース３に対する携帯端末１０の位置合わせを行うステップを備える。これにより、携帯端末設置ベース３に設けられた目安線７ａ，７ｂを頼りにすることで携帯端末１０の位置合わせがより容易になり、機種ごとに異なる携帯端末１０の仕様に適合させることができる。
【００６６】
また、上述した携帯端末アダプタ１を用いた顕微鏡撮像方法は、携帯端末１０と携帯端末設置ベース３との間に滑り止めシート９を配置するステップを備える。これにより、斜めに傾けられた携帯端末設置ベース３に携帯端末１０を設置した場合でも、滑り止めシート９の粘着力により携帯端末１０が携帯端末設置ベース３上を滑ったり、ずれたり、傾いたりすることなく固定することができる。
【００６７】
（顕微鏡用携帯端末アダプタの第３実施形態）
以下、顕微鏡用携帯端末アダプタ５０の第３実施形態について説明する。この顕微鏡用携帯端末アダプタの第３実施形態は、特許請求の範囲の請求項１３から請求項２４までに記載された発明である。図１７に、顕微鏡２０に取り付けられた本発明に係る顕微鏡用携帯端末アダプタ５０の第３実施形態につき、携帯端末８０及び顕微鏡２０との関係を斜視図で示す。また、図１８に、図１７に示す第３実施形態の概略構成を斜視図で示す。また、図１９に、図１７に示す第３の実施形態の概略構成を平面図で示す。さらに、図２０に、図１７に示す第３実施形態の概略構成を背面図で示す。顕微鏡用携帯端末アダプタ５０の第３実施形態は、上述した第１実施形態及び第２実施形態と同様に、顕微鏡２０で観察する画像を携帯端末８０のカメラ５８で撮像するために顕微鏡２０に設けられる携帯端末アダプタ５０に関するバリエーションである。
【００６８】
図１７、図１８、及び図１９に示すように、顕微鏡用携帯端末アダプタ５０の第３実施形態は、鏡筒アタッチメント５２、携帯端末設置用ベース５３、スライドベース５１、及び携帯端末ホルダー５４から構成される。鏡筒アタッチメント５２は、携帯端末設置用ベース５３に対して顕微鏡２０の鏡筒２１の平板部１４がベース固定ネジ１１により固定される。携帯端末設置用ベース５３にはスライドベース５１を介して携帯端末８０が設置され、顕微鏡２０を観察する画像を通過させる撮像用孔７１を有する。この撮像用孔７１には、携帯端末の光軸２７が通過するが、鏡筒の光軸２６と一致することが好ましい。
【００６９】
この携帯端末設置用ベース５３には、スライドベース５１及び携帯端末ホルダー５４が設けられる。スライドベース５１は、締結具であるピンアッセンブリ６８により挟み込まれて携帯端末設置用ベース５３に接続される。このピンアッセンブリ６８は、コマ６９にピンが圧入された部品である。スライドベース５１には携帯端末８０が直接設置される。そして、スライドベース５１は、撮像用孔７１の孔位置に携帯端末８０のカメラ５８を合わせるために携帯端末８０の位置調整をする機能を有する。携帯端末ホルダー５４は、位置調整された携帯端末８０の位置を固定して記憶する機能を有する。
【００７０】
顕微鏡用携帯端末アダプタ５０の第３実施形態が第１実施形態及び第２実施形態と主として異なる点は、第１に携帯端末ホルダー５４による携帯端末８０の固定方法であり、第２にスライドベース５１による携帯端末の位置合わせ方法である。以下、説明する。
【００７１】
（携帯端末ホルダーによる携帯端末の固定方法）
携帯端末ホルダー５４は、携帯端末設置用ベース５３の長手方向の一端に設けられるスライド式の第１携帯端末保持部５５ａ及び第１縦位置設定用止めネジ５６ａと、携帯端末８０の他端に設けられるスライド式の第２携帯端末保持部５５ｂ及び第２縦位置設定用止めネジ５６ｂとを備える。すなわち、携帯端末８０は、２台の携帯端末保持部５５を有する携帯端末ホルダー５４により挟み込まれて保持されて位置合わせされる。また、携帯端末ホルダー５４に保持されて位置合わせされた携帯端末８０は、第１縦位置設定用止めネジ５６ａ及び第２縦位置設定用止めネジ５６ｂが携帯端末設置用ベース５３の外端面６７に締め込まれることで携帯端末８０の縦方向の設置位置が固定されて記憶される。すなわち、縦位置設定用止めネジ５６は、携帯端末保持部５５の両端に設けられ、ネジを締め込まれたネジが外端面６７を押して携帯端末保持部５５を縦方向に固定する。そして、図２０に示すように、携帯端末ホルダー５４は、爪部７０により携帯端末設置用ベース５３の外端面６７をスライドする。ここで、「携帯端末８０の縦方向の設置位置が記憶される。」とは、設置された携帯端末８０をスライドベース５１から取り外し、再度スライドベース５１に取り付けて使用する場合に、その携帯端末８０の位置設定を新たに行う必要がないことをいう。
【００７２】
第１携帯端末挟み部６０ａは、第１携帯端末保持部５５ａをスライドが可能なように設けられる。また、第２携帯端末挟み部６０ｂは、第２携帯端末保持部５５ｂをスライドが可能なように設けられる。そして、第１携帯端末挟み部６０ａには、第１横位置設定用止めネジ６１ａが設けられ、第１横位置設定用止めネジ６１ａが締め込まれることで第１携帯端末挟み部６０ａが第１携帯端末保持部５５ａに押し付けられて固定される。一方、第２携帯端末挟み部６０ｂには、第２横位置設定用止めネジ６１ｂが設けられ、第２横位置設定用止めネジ６１ｂが締め込まれることで第２携帯端末挟み部６０ｂが第２携帯端末保持部５５ｂに押し付けられて固定される。さらに、第１携帯端末挟み部６０ａ及び第２携帯端末挟み部６０ｂは、携帯端末８０を両側から挟むように設けられた押さえ板６４をそれぞれ備える。そして、携帯端末ホルダー５４に保持されて位置合わせされた携帯端末８０は、第１横位置設定用止めネジ６１ａ又は第２横位置設定用止めネジ６１ｂが第１携帯端末保持部５５ａ又は第２携帯端末保持部５５ｂに締め込まれることで携帯端末８０の横方向の設置位置が記憶される。また、第１携帯端末保持部５５ａ又は第２携帯端末保持部５５ｂは、スライド式の携帯端末受け部６５、及び携帯端末受け部６５を第１携帯端末保持部５５ａ又は第２携帯端末保持部５５ｂに固定するストッパー６６を貫通させる貫通穴を備える。この携帯端末受け部６５及びストッパー６６により、携帯端末８０の縦方向の挟み込みがより容易にかつ確実に行われる。
【００７３】
（スライドベースによる携帯端末の位置合わせ方法）
図２１に、スライドベース５１の概略構成を斜視図で示す。図２１に示すように、スライドベース５１及び携帯端末設置用ベース５３は、一方の縦方向長孔６２が設けられ、他方に横方向長孔６３が設けられる。そして、スライドベース５１及び携帯端末設置用ベース５３は、縦方向長孔６２と横方向長孔６３とを共に貫通する締結具であるピンアッセンブリ６８により挟み込まれて接続する。このピンアッセンブリ６８は、コマ６９にピンが圧入された部品である。また、スライドベース５１には、携帯端末８０を取り付ける滑り止めシート５９が貼り付けられる。なお、図２１では、縦方向長孔６２は携帯端末設置用ベース５３に設けられ、横方向長孔６３は、スライドベース５１に設けられているが、それぞれの位置は逆であっても良い。
【００７４】
このように、携帯端末８０をまずスライドベース５１に貼り付けられた滑り止めシート５９に取り付けることで、携帯端末８０の設置と位置合わせを分離することができ、位置合わせが容易になる。すなわち、携帯端末８０を一旦スライドベース５１に設置すれば剥がして再度貼り付ける必要がない。そして、設置された携帯端末８０を上下左右に移動させて位置合わせができ、位置がずれていれば再度設置された携帯端末８０を上下左右に移動させれば良い。この携帯端末８０の移動範囲は、縦方向長孔６２と横方向長孔６３の長手方向の幅で決まる。従って、縦方向長孔６２と横方向長孔６３のサイズにより移動距離を調整できる。さらにこの方式であれば、携帯端末８０を斜め方向へも自由に移動させることができる。
【００７５】
（携帯端末アダプタを用いた顕微鏡撮像方法の第３の実施形態）
図２２に、携帯端末アダプタ５０を用いた顕微鏡撮像方法の第３の実施形態をフロー図で示す。各ステップはＳ１〜Ｓ１１で示す。本明細書では、携帯端末アダプタ５０を用いた顕微鏡撮像方法の第３実施形態として２種類の方法を示す。第１の方法は、携帯端末８０の取付け位置を初期設定して使用する場合のステップである。また、第２の方法は、取付け位置が既に初期設定された携帯端末８０を使用する場合のステップである。
【００７６】
まず、第１の方法を説明する。携帯端末８０を携帯端末アダプタ５０に設けられたスライドベース５１に設置する（Ｓ１）。スライドベース５１の表面には滑り止めシート５９が配置され、携帯端末８０は滑り止めシート５９の粘着力により確実に固定される。このステップ（Ｓ１）においては、実施形態１及び実施形態２と異なり、携帯端末８０をスライドベース５１に対して目安線５７などにより位置合わせする必要がない。次に、スライドベース５１により携帯端末８０の位置合わせを行う。具体的には、携帯端末８０を縦方向に携帯端末保持部５５により挟み込み、携帯端末８０を横方向に携帯端末挟み部６０により挟み込むステップ（Ｓ２），及び携帯端末設置用ベース５３に対してスライドベース５１を縦方向又は横方向に移動させて位置合わせを行うステップ（Ｓ３）とから構成される。このステップ（Ｓ３）により、携帯端末８０のカメラ５８の位置を携帯端末アダプタ５０の撮像用孔７１に合わせることができる。そして、顕微鏡２０で観察する被写体の画像を携帯端末８０のカメラ５８の視野内に確実に捉えることができる。
【００７７】
次に、位置合わせされた携帯端末８０を携帯端末ホルダー５４により固定してその位置を記憶させる。具体的には、挟み込まれた携帯端末８０に対して縦位置設定用止めネジ５６又は横位置設定用止めネジ６１を締め込んで携帯端末８０の位置を固定して記憶する（Ｓ４）。すなわち、挟み込まれた携帯端末８０の位置は、縦位置設定用止めネジ５６又は横位置設定用止めネジ６１を締め込むことで記憶され、同じ携帯端末８０を再度使用する際にその記憶された位置により容易に位置出しができる。つまり、携帯端末８０を顕微鏡２０に容易に取付け、取り外しができる。
【００７８】
さらに、顕微鏡２０で観察された被写体を携帯端末８０のカメラ５８で撮像する（Ｓ５）。この携帯端末アダプタ５０を用いた顕微鏡撮像方法は、所定の携帯端末８０を用いた顕微鏡撮像方法における初期設定のプロセスである。つまり、その携帯端末８０を初めて使用する場合には、カメラ５８の光軸２７が鏡筒２１の光軸２６に略一致するように携帯端末設置用ベース５３に対する携帯端末８０の設置位置を設定しなければならないからである。
【００７９】
次に、第２の方法について説明する。一旦初期設定された携帯端末８０を携帯端末設置用ベース５３のスライドベース５１から取り外し、再度スライドベース５１に取り付けて使用する場合には、新たに初期設定をする必要がない。つまり、初期設定の際に携帯端末ホルダー５４が位置合わせされて固定されるからである。そして、設定された携帯端末８０によりそのまま撮像を続行するか否かで場合分けされる（Ｓ６）。続行する場合には（ＹＥＳ）被写体を交換して（Ｓ７）、顕微鏡２０で観察された被写体を携帯端末８０のカメラ５８で撮像するステップ（Ｓ５）に戻る。なお、被写体を交換せずに別のテーマで撮像を続行する場合も同様にステップ（Ｓ５）に戻っても良い。一方、続行しない場合には（ＮＯ）、撮像した携帯端末８０を携帯端末設置用ベース５３から取り外すか否かで場合分けされる（Ｓ８）。取り外さない場合には（ＮＯ）、新たな撮像をするか否かで場合分けされる（Ｓ１０）。例えば、携帯端末８０を携帯端末設置用ベース５３に設置したまま携帯端末８０のアプリケーション機能により画像をデータ処理する場合などである。携帯端末８０を取り外す場合には、携帯端末８０を通常の方法で使用する（Ｓ９）。すなわち、携帯端末８０を手に持って通話や電子メールの送受信装置として使用するか、又は携帯端末のアプリケーション機能により画像をデータ処理する。このデータ処理は、例えばスマートフォン等のアプリケーションを用いて長さや角度を測定したり、画像に色彩を付加したり、或いは、スマートフォン等の通信機能を活用して遠隔地に送信する処理などである。このように、携帯端末８０を本来の機能である携帯端末８０として使用したり、画像をデータ処理したりする場合には、撮像した携帯端末８０を携帯端末設置用ベース５３から取り外して行うか、又は取り付けたまま行うかのいずれであっても良い。
【００８０】
そして、撮像した携帯端末８０を用いて新たな撮像をするか否かが判断される（Ｓ１０）。新たな撮像をしない場合には（ＮＯ）、携帯端末アダプタ５０を用いた顕微鏡撮像方法はそこで終了する。一方、新たな撮像をする場合には、携帯端末８０をステップ４により記憶された位置に合わせてスライドベース５１に取り付ける（Ｓ１１）。そして、顕微鏡２０で観察された被写体を携帯端末８０のカメラ５８で撮像するステップ（Ｓ５）に戻る。この第２の方法の場合には、ステップ４で携帯端末保持部５５及び携帯端末挟み部６０により携帯端末設置用ベース５３に記憶させているため新たに初期設定をする必要はない。これにより、同じ携帯端末８０を複数回使用する場合には、一旦初期設定をすれば、その後は設定をすることなく簡易な操作により顕微鏡観察による画像を撮像できる。しかし、異なる携帯端末８０を使用する場合には、第１の方法により初期設定をする。
【符号の説明】
【００８１】
１，５０  （顕微鏡用）携帯端末アダプタ、２，５２  鏡筒アタッチメント、３  携帯端末設置ベース，５３  携帯端末設置用ベース、４  携帯端末ホルダー，４ａ  携帯端末ホルダー，４ｂ  携帯端末ホルダー，５４  携帯端末ホルダー，５４ａ  第１携帯端末ホルダー，５４ｂ  第２携帯端末ホルダー、５，５ａ，５ｂ  携帯端末保持部，５５  携帯端末保持部，５５ａ  第１携帯端末保持部，５５ｂ  第２携帯端末保持部、６  位置設定用締結具、６ａ  位置設定用止めネジ，６ｂ  位置設定用固定ネジ，５６  縦位置設定用止めネジ，５６ａ  第１縦位置設定用止めネジ，５６ｂ  第２縦位置設定用止めネジ、７  目安線，７ａ  短辺方向目安線，７ｂ  長辺方向目安線，５７  目安線、８  本体部，８ａ  連結部，８ｂ  収納部、９，５９  滑り止めシート、１０，８０  携帯端末、１１  ベース固定ネジ、１２，１２ａ，１２ｂ  ベース固定ネジ孔，７２  ベース固定ネジ孔、１３  アタッチメント固定ネジ、１４  平板部、１５  筒部、１６  第１撮像用孔、１７  第２撮像用孔，７１  撮像用孔、１８  カメラ，５８  カメラ、１９  接眼レンズ用抑えネジ、２０  顕微鏡、２１  鏡筒、２２  スタンド、２３  脚台、２４  試料、２５  顕微鏡の光軸（対物レンズの光軸）、２６  （鏡筒の）光軸（接眼レンズの光軸）、２７  （携帯端末の）光軸、２８  対物レンズ、２９  接眼レンズ、３０  Ｘ軸ステージ、３１  ＸＹ軸ステージ、３２  回転ステージ、３３  傾斜ステージ、３４  固定ネジ用ハンドル、３５  微調整摺動ハンドル、３６  スリット、３７，６７  外端面、５１  スライドベース、６０  携帯端末挟み部，６０ａ  第１携帯端末挟み部，６０ｂ  第２携帯端末挟み部、６１  横位置設定用止めネジ，６１ａ  第１横位置設定用止めネジ，６１ｂ  第２横位置設定用止めネジ、６２  縦方向長孔、６３  横方向長孔、６４  押え板，６４ａ  第１押え板，６４ｂ  第２押え板、６５  携帯端末受け部、６６  ストッパー、６８  ピンアッセンブリ（締結具）、６９  コマ、７０  爪部、α  鏡筒角度。
【図１】
0005995925.tif 000002
【図２】
0005995925.tif 000003
【図３】
0005995925.tif 000004
【図４】
0005995925.tif 000005
【図５】
0005995925.tif 000006
【図６】
0005995925.tif 000007
【図７】
0005995925.tif 000008
【図８】
0005995925.tif 000009
【図９】
0005995925.tif 000010
【図１０】
0005995925.tif 000011
【図１１】
0005995925.tif 000012
【図１２】
0005995925.tif 000013
【図１３】
0005995925.tif 000014
【図１４】
0005995925.tif 000015
【図１５】
0005995925.tif 000016
【図１６】
0005995925.tif 000017
【図１７】
0005995925.tif 000018
【図１８】
0005995925.tif 000019
【図１９】
0005995925.tif 000020
【図２０】
0005995925.tif 000021
【図２１】
0005995925.tif 000022
【図２２】
0005995925.tif 000023